(57)【特許請求の範囲】
【請求項１】
物体側より像側へ順に配置された、負の屈折力の第１レンズ群、正の屈折率の第２レンズ群、正の屈折力の第３レンズ群より構成され、ズーミングに際して隣り合うレンズ群の間隔が変化するズームレンズにおいて、
前記第２レンズ群は複数のレンズを有し、前記第２レンズ群の最も像側には、負レンズと、該負レンズの像側に配置された正レンズとを接合した接合レンズＧＲｂ２が配置されており、
前記接合レンズＧＲｂ２の物体側のレンズ面の曲率半径をＲｂ２ｏｂｊ、像側のレンズ面の曲率半径をＲｂ２ｉｍｇ、前記接合レンズＧＲｂ２の焦点距離をｆ２ｂｉｍｇ、前記第２レンズ群の焦点距離をｆ２とするとき、
１．６５＜（Ｒｂ２ｏｂｊ＋Ｒｂ２ｉｍｇ）／（Ｒｂ２ｏｂｊ−Ｒｂ２ｉｍｇ）＜５０．００
１．０＜ｆ２ｂｉｍｇ／ｆ２＜１０．０
なる条件式を満たすことを特徴とするズームレンズ。
【請求項２】
前記接合レンズＧＲｂ２に含まれる負レンズの物体側のレンズ面の曲率半径をＲｂ２ｎ＿ｏｂｊ、像側のレンズ面の曲率半径をＲｂ２ｎ＿ｉｍｇとするとき、
−４．５＜（Ｒｂ２ｎ＿ｏｂｊ＋Ｒｂ２ｎ＿ｉｍｇ）／（Ｒｂ２ｎ＿ｏｂｊ−Ｒｂ２ｎ＿ｉｍｇ）＜０．２
なる条件式を満たすことを特徴とする請求項１に記載のズームレンズ。
【請求項３】
広角端から望遠端へのズーミングにおける前記第２レンズ群の移動量をＭ２、広角端から望遠端へのズーミングにおける前記第３レンズ群の移動量をＭ３とするとき、
−１８．０＜Ｍ２／Ｍ３＜−７．０
なる条件式を満たすことを特徴とする請求項１又は２に記載のズームレンズ。
【請求項４】
前記第３レンズ群の焦点距離をｆ３とするとき、
０．３０＜ｆ２／ｆ３＜０．６５
なる条件式を満たすことを特徴とする請求項１乃至３のいずれか１項に記載のズームレンズ。
【請求項５】
前記第２レンズ群は、物体側から像側へ順に配置された、正レンズ、正レンズと負レンズを接合した接合レンズＧＲａ２、負レンズと正レンズを接合した接合レンズＧＲｂ２より構成されることを特徴とする請求項１乃至４のいずれか１項に記載のズームレンズ。
【請求項６】
前記接合レンズＧＲａ２に含まれる負レンズの物体側のレンズ面の曲率半径をＲａ２ｎ＿ｏｂｊ、像側のレンズ面の曲率半径をＲａ２ｎ＿ｉｍｇとするとき、
０．２＜（Ｒａ２ｎ＿ｏｂｊ＋Ｒａ２ｎ＿ｉｍｇ）／（Ｒａ２ｎ＿ｏｂｊ−Ｒａ２ｎ＿ｉｍｇ）＜１．２
なる条件式を満足することを特徴とする請求項５に記載のズームレンズ。
【請求項７】
前記接合レンズＧＲｂ２に含まれる正レンズの物体側のレンズ面の曲率半径をＲｂ２ｐ＿ｏｂｊ、像側のレンズ面の曲率半径をＲｂ２ｐ＿ｉｍｇとするとき、
０．０１＜（Ｒｂ２ｐ＿ｏｂｊ＋Ｒｂ２ｐ＿ｉｍｇ）／（Ｒｂ２ｐ＿ｏｂｊ−Ｒｂ２ｐ＿ｉｍｇ）＜２．５０
なる条件式を満足することを特徴とする請求項５又は６に記載のズームレンズ。
【請求項８】
前記接合レンズＧＲａ２の負レンズは前記接合レンズＧＲａ２の正レンズの像側に配置され、
前記接合レンズＧＲａ２の負レンズの像側のレンズ面の曲率半径をＲａ２ｎ＿ｉｍｇ、前記接合レンズＧＲｂ２の負レンズの物体側のレンズ面の曲率半径をＲｂ２ｎ＿ｏｂｊとするとき、
−１．０＜（Ｒａ２ｎ＿ｉｍｇ＋Ｒｂ２ｎ＿ｏｂｊ）／（Ｒａ２ｎ＿ｉｍｇ−Ｒｂ２ｎ＿ｏｂｊ）＜−０．３
なる条件式を満足することを特徴とする請求項５乃至７のいずれか１項に記載のズームレンズ。
【請求項９】
前記第１レンズ群の最も物体側には、負レンズＧ１ｎが配置されており、前記負レンズＧ１ｎの物体側のレンズ面の曲率半径をＲＧ１ｏｂｊ、像側のレンズ面の曲率半径をＲＧ１ｉｍｇとするとき、
０．４＜（ＲＧ１ｏｂｊ＋ＲＧ１ｉｍｇ）／（ＲＧ１ｏｂｊ−ＲＧ１ｉｍｇ）＜１．０なる条件式を満足することを特徴とする請求項１乃至８のいずれか１項に記載のズームレンズ。
【請求項１０】
広角端における有効像円径が望遠端における有効像円径よりも小さいことを特徴とする請求項１乃至９のいずれか１項に記載のズームレンズ。
【請求項１１】
請求項１乃至１０のいずれか１項に記載のズームレンズと該ズームレンズによって形成された像を受光する撮像素子を有することを特徴とする撮像装置。
【発明の詳細な説明】
【技術分野】
【０００１】
本発明はズームレンズ及びそれを有する撮像装置に関し、特にデジタルスチルカメラ、フィルム用カメラ、ビデオカメラ等の撮像装置の撮像光学系として好適なものである。
【背景技術】
【０００２】
近年、固体撮像素子を用いた撮像装置に用いられる撮像光学系には広画角で大口径比のズームレンズが要望されている。更に沈胴時のカメラ厚みが薄くなる様に各レンズ群のレンズ枚数が少なく、レンズ厚が薄いことが要求されている。また望遠側においてレンズ全長が短いズームレンズであることが要求されている。この他、大型の撮像素子にも十分対応できるズームレンズであることが求められている。
【０００３】
全系が小型で広画角、大口径比のズームレンズとして、負の屈折力のレンズ群が先行する（最も物体側に位置する）ネガティブリード型のズームレンズが知られている。ネガティブリード型のズームレンズとして、物体側より像側へ順に、負の屈折力の第１レンズ群、正の屈折力の第２レンズ群、正の屈折力の第３レンズ群より成る３群ズームレンズが知られている（特許文献１、２）。
【０００４】
一方、近年のデジタルスチルカメラやビデオカメラといった撮像装置においては、諸収差のうち歪曲収差や色収差を電気的な画像処理で補正する事も行われている。この様な補正処理を活用する事でレンズ枚数の削減した小型のズームレンズが提案されている。
【先行技術文献】
【特許文献】
【０００５】
【特許文献１】特開２００９−２８２４６６号公報
【特許文献２】特開２０１１−８１１８５号公報
【発明の概要】
【発明が解決しようとする課題】
【０００６】
前述した３つのレンズ群よりなるネガティブリード型の３群ズームレンズは広画角化及び全系の小型化が有利であるが、レンズ系全体が非対称となるため、ズーミングに伴う諸収差の変動が大きく全ズーム範囲にわたり高い光学性能を得るのが難しい。
【０００７】
ネガティブリード型の３群ズームレンズにおいて、全系の小型化を図りつつ全ズーム範囲で画面全体にわたり高い光学性能を得るには、各レンズ群の屈折力やレンズ構成、そしてズーミングに際しての移動量等を適切に設定することが重要になってくる。例えば沈胴時の全長を短くするには各レンズ群の構成レンズ枚数を少なくしつつ、諸収差を良好に補正できるレンズ構成であることが重要になってくる。
【０００８】
ネガティブリード型のズームレンズは、全ズーム領域において軸上光線の入射高が第２レンズ群で最も高くなる。このため第２レンズ群から諸収差が多く発生してくる。そのため、ネガティブリード型のズームレンズで、大口径比と高画質化を実現するには、第２レンズ群のレンズ構成を適切に設定することが重要になってくる。第２レンズ群のレンズ構成が不適切であると全系の小型化及び大口径比化を図りつつ、高い光学性能を得るのが大変困難になってくる。
【０００９】
本発明は、レンズ系全体が小型で、広画角、大口径比で全ズーム範囲で高い光学性能が容易に得られるズームレンズ及びそれを有する撮像装置の提供を目的とする。
【課題を解決するための手段】
【００１０】
本発明のズームレンズは、物体側より像側へ順に配置された、負の屈折力の第１レンズ群、正の屈折率の第２レンズ群、正の屈折力の第３レンズ群より構成され、ズーミングに際して隣り合うレンズ群の間隔が変化するズームレンズにおいて、
前記第２レンズ群は複数のレンズを有し、前記第２レンズ群の最も像側には、負レンズと、該負レンズの像側に配置された正レンズとを接合した接合レンズＧＲｂ２が配置されており、
前記接合レンズＧＲｂ２の物体側のレンズ面の曲率半径をＲｂ２ｏｂｊ、像側のレンズ面の曲率半径をＲｂ２ｉｍｇ、前記接合レンズＧＲｂ２の焦点距離をｆ２ｂｉｍｇ、前記第２レンズ群の焦点距離をｆ２とするとき、
１．６５＜（Ｒｂ２ｏｂｊ＋Ｒｂ２ｉｍｇ）／（Ｒｂ２ｏｂｊ−Ｒｂ２ｉｍｇ）＜５０．００
１．０＜ｆ２ｂｉｍｇ／ｆ２＜１０．０
なる条件式を満たすことを特徴としている。
【発明の効果】
【００１１】
本発明によれば、レンズ系全体がコンパクトで、広画角、大口径比で全ズーム範囲で高い光学性能が得られるズームレンズが得られる。
【図面の簡単な説明】
【００１２】
【図１】実施例１のズームレンズのレンズ断面図
【図２】（Ａ）、（Ｂ）、（Ｃ）  実施例１のズームレンズの広角端、中間のズーム位置、望遠端における収差図
【図３】実施例２のズームレンズのレンズ断面図
【図４】（Ａ）、（Ｂ）、（Ｃ）  実施例２のズームレンズの広角端、中間のズーム位置、望遠端における収差図
【図５】実施例３のズームレンズのレンズ断面図
【図６】（Ａ）、（Ｂ）、（Ｃ）  実施例３のズームレンズの広角端、中間のズーム位置、望遠端における収差図
【図７】実施例４のズームレンズのレンズ断面図
【図８】（Ａ）、（Ｂ）、（Ｃ）  実施例４のズームレンズの広角端、中間のズーム位置、望遠端における収差図
【図９】実施例５のズームレンズのレンズ断面図
【図１０】（Ａ）、（Ｂ）、（Ｃ）  実施例５のズームレンズの広角端、中間のズーム位置、望遠端における収差図
【図１１】実施例６のズームレンズのレンズ断面図
【図１２】（Ａ）、（Ｂ）、（Ｃ）  実施例６のズームレンズの広角端、中間のズーム位置、望遠端における収差図
【図１３】該ズームレンズを搭載する光学機器（デジタルカメラ）の装置図
【発明を実施するための形態】
【００１３】
以下に、本発明の好ましい実施の形態を、添付の図面に基づいて詳細に説明する。本発明のズームレンズは、物体側より像側へ順に配置された負の屈折力の第１レンズ群、正の屈折率の第２レンズ群、正の屈折力の第３レンズ群より構成される。そしてズーミングに際して隣り０合うレンズ群の間隔が変化する。
【００１４】
図１は実施例１のズームレンズの広角端（短焦点距離端）におけるレンズ断面図である。図２（Ａ）、（Ｂ）、（Ｃ）はそれぞれ実施例１のズームレンズの広角端、中間焦点距離、望遠端（長焦点距離端）における収差図である。実施例１はズーム比２．８８、開口比２．０６〜４．９０、広角端における撮影半画角３２．３４度程度のズームレンズである。
【００１５】
図３は実施例２のズームレンズの広角端におけるレンズ断面図である。図４（Ａ）、（Ｂ）、（Ｃ）はそれぞれ実施例２のズームレンズの広角端、中間焦点距離、望遠端における収差図である。実施例２はズーム比２．８９、開口比２．０６〜４．９０、広角端における撮影半画角３２．４０度程度のズームレンズである。
【００１６】
図５は実施例３のズームレンズの広角端におけるレンズ断面図である。図６（Ａ）、（Ｂ）、（Ｃ）はそれぞれ実施例３のズームレンズの広角端、中間焦点距離、望遠端における収差図である。実施例３はズーム比２．８９、開口比２．０６〜５．００、広角端における撮影半画角３２．３７度程度のズームレンズである。
【００１７】
図７は実施例４のズームレンズの広角端におけるレンズ断面図である。図８（Ａ）、（Ｂ）、（Ｃ）はそれぞれ実施例４のズームレンズの広角端、中間焦点距離、望遠端における収差図である。実施例４はズーム比２．８６、開口比２．０６〜５．００、広角端における撮影半画角３６．０６度程度のズームレンズである。
【００１８】
図９は実施例５のズームレンズの広角端におけるレンズ断面図である。図１０（Ａ）、（Ｂ）、（Ｃ）はそれぞれ実施例５のズームレンズの広角端、中間焦点距離、望遠端における収差図である。実施例５はズーム比３．３７、開口比２．０６〜５．００、広角端における撮影半画角３２．４４度程度のズームレンズである。
【００１９】
図１１は実施例６のズームレンズの広角端におけるレンズ断面図である。図１２（Ａ）、（Ｂ）、（Ｃ）はそれぞれ実施例６のズームレンズの広角端、中間焦点距離、望遠端における収差図である。実施例６はズーム比２．８７、開口比２．０６〜５．００、広角端における撮影半画角３５．２４度程度のズームレンズである。
【００２０】
図１３は本発明の撮像装置の要部概略図である。各実施例のズームレンズはビデオカメラやデジタルカメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＳＰはＦナンバー光束を制限する開口絞りである。ＦＰは有害光をカットするフレアーカット絞りである。
【００２１】
ＧＢは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２２】
収差図のうち、球面収差図においてはｄ線（波長５８７．６ｎｍ）とｇ線（波長４３５．８ｎｍ）について示している。非点収差図において、ΔＭはｄ線のメリディオナル像面、ΔＳはｄ線のサジタル像面である。倍率色収差はｇ線によって表している。ωは半画角（度）、ＦｎｏはＦナンバーである。尚、以下の各実施例において広角端と望遠端は変倍用レンズ群が機構上光軸上を移動可能な範囲の両端に位置したときのズーム位置をいう。
【００２３】
各実施例では、広角端から望遠端へのズーミングに際して矢印のように、第２レンズ群Ｌ２を物体側に移動することによって変倍を行う。また、第１レンズ群Ｌ１を像側に凸状の軌跡で移動する。また第３レンズ群Ｌ３は像側へ移動することで変倍に伴う像面変動を補正している。
【００２４】
また、各実施例では第３レンズ群Ｌ３を光軸上移動させてフォーカシングを行うリアフォーカス式を採用している。第３レンズ群Ｌ３に関する実線の曲線３ａと点線の曲線３ｂは、各々無限遠物体と近距離物体にフォーカスしているときの変倍に伴う像面変動を補正するための移動軌跡である。このように広角端から望遠端へのズーミングに際して第３レンズ群Ｌ３を像側へ移動させることで第２レンズ群Ｌ２と第３レンズ群Ｌ３との間の空間の有効利用を図り、レンズ全長の短縮化を図りつつ所定のズーム比を得ている。
【００２５】
又、望遠端において無限遠物体から近距離物体へフォーカスを行う場合には、矢印３ｃに示すように第３レンズ群Ｌ３を物体側に繰り出すことで行っている。尚、第１レンズ群Ｌ１はフォーカスの為には光軸方向に不動であるが、収差補正上必要に応じて移動させてもよい。開口絞りＳＰは、第２レンズ群Ｌ２の物体側に位置しており、ズーミングに際して第２レンズ群Ｌ２と独立して（異なった軌跡で）移動している。また、撮影時には、被写体像のブレ（像ブレ）を補正するために該第２レンズ群Ｌ２の全体または一部を光軸に対して垂直方向の成分を持つように移動させてもよい。
【００２６】
各実施例のズームレンズでは、広角端における有効像円径が望遠端における有効像円径よりも小さい。これにより全ズーム範囲にわたり高い光学性能を容易にしている。
【００２７】
本発明のズームレンズは、簡素なレンズ構成でありながら広画角で大口径比にも対応でき、しかも良好な光学性能を有する。大口径化を図るためには、広角端において前玉レンズ（第１レンズ）から開口絞りまでに光束径が広がりにくいズームタイプである第１レンズ群が正の屈折力のポジティブリードタイプが有利である。しかし、このズームタイプのズームレンズは全体としてレンズ枚数が多くなりやすいためにレンズ全長が長くなり、またレンズ沈胴時の光軸方向の厚みが厚くなり、カメラ厚の薄型化が難しい。
【００２８】
一方、広画角化を図りやすいズームタイプとして第１レンズ群が負の屈折力のネガティブリードタイプがある。このズームタイプは比較的レンズ枚数が少なく、簡素なレンズ構成でしかも広画角を達成するのが容易である。このために本発明のズームレンズでは前述した構成のネガティブリードタイプを採用している。
【００２９】
本発明のズームレンズでは第２レンズ群を正の屈折力の主変倍レンズ群としている。また、第３レンズ群を正の屈折力とし、正の屈折力の第２レンズ群と２つのレンズ群で全体としての正の屈折力の分担をして、球面収差やコマ収差等の諸収差の発生を軽減している。一方、第１レンズ群を負の屈折力としたとき、光束径が第２レンズ群で広がってしまうため、第２レンズ群より球面収差等の諸収差が多く発生して光学性能が低下してくる。このときの諸収差を良好に補正するためにはレンズ枚数を増やす必要がある。
【００３０】
本発明ではレンズ枚数の少ない簡素なレンズ構成とするために第３レンズ群を正の屈折力とし、全体としての正の屈折力を第２レンズ群と分担している。また、ズームレンズを大口径比化すると広角側において球面収差が多く発生してくる。また、全系の小型化を図るために各レンズ群の屈折力を強めると球面収差、コマ収差、色収差等の諸収差が多く発生してくる。
【００３１】
その為、軸上光束が広がる開口絞り付近の第２レンズ群を接合レンズを含めた複数のレンズで構成し、接合レンズの形状、屈折力等を適切に設定することで球面収差、コマ収差、色収差の諸収差の発生を軽減している。具体的には最も像側に像側へ凸面を向けたメニス形状の接合レンズを配置することで広角側においてコマ収差を補正している。また屈折力を適切に設定して色収差を良好に補正している。
【００３２】
本発明のズームレンズは、簡素なレンズ構成でありながら広画角、大口径で、しかも良好な光学性能を得ることを目的としている。このため、物体側より像側へ順に負の屈折力の第１レンズ群Ｌ１、正の屈折率の第２レンズ群Ｌ２、正の屈折力の第３レンズ群Ｌ３より構成している。
【００３３】
そして第２レンズ群Ｌ２は複数のレンズを有し、第２レンズ群Ｌ２の最も像側には、負レンズと、該負フレンズの像側に配置された正レンズとを接合した接合レンズＧＲｂ２が配置されている。そして接合レンズＧＲｂ２の物体側のレンズ面の曲率半径をＲｂ２ｏｂｊ、像側のレンズ面の曲率半径をＲｂ２ｉｍｇ、接合レンズＧＲｂ２の焦点距離をｆ２ｂｉｍｇ、第２レンズ群の焦点距離をｆ２とする。このとき、
１．６５＜（Ｒｂ２ｏｂｊ＋Ｒｂ２ｉｍｇ）／（Ｒｂ２ｏｂｊ−Ｒｂ２ｉｍｇ）＜５０．００                                                              ・・・（１）
１．０＜ｆ２ｂｉｍｇ／ｆ２＜１０．０                          ・・・（２）
なる条件式を満たしている。
【００３４】
次に前述の条件式の技術的意味について説明する。本発明のズームレンズでは光束径が広がる第２レンズ群Ｌ２のレンズ構成および第２レンズ群Ｌ２に含まれる接合レンズＧＲｂ２の形状、接合レンズＧＲ２ｂの屈折力等を適切に設定している。
【００３５】
条件式（１）は、第２レンズ群Ｌ２内の最も像側に配置された接合レンズＧＲｂ２の形状に関し、主に広角側においてのコマ収差を良好に補正するためのものである。条件式（１）の下限値を下回ると、接合レンズＧＲｂ２のメニス形状が弱まり広角側においてコマ収差を補正するのが困難となる。一方、条件式（１）の上限値を上回ると、接合レンズＧＲ２ｂのメニス形状が強まるため広角側においてコマ収差の補正は容易となるが望遠側においてコマ収差が増加するため好ましくない。また、第２レンズ群Ｌ２の光軸上の厚みが増えてしまい、レンズ系全体を沈胴した際のカメラ厚を短くするのが困難になる。
【００３６】
条件式（２）は、第２レンズ群Ｌ２内の最も像側に配置された接合レンズＧＲ２ｂの正の屈折力に関し、主に色収差を良好に補正するためのものである。条件式（２）の下限値を下回ると、接合レンズＧＲ２ｂの正の屈折力が強まるため、ズーミングに際して色収差の変動を抑えるのが困難となる。一方、条件式（２）の上限値を上回ると、接合レンズＧＲ２ｂの正の屈折力が弱まるため広角側において色収差やコマ収差の補正が困難となる。尚、各実施例において、収差補正上更に好ましくは、条件式（１）、（２）の数値範囲を次の如く設定するのが良い。
【００３７】
１．７＜（Ｒｂ２ｏｂｊ＋Ｒｂ２ｉｍｇ）／（Ｒｂ２ｏｂｊ−Ｒｂ２ｉｍｇ）＜４０．０                                                    ・・・（１ａ）
１．５＜ｆ２ｂｉｍｇ／ｆ２＜８．０                  ・・・（２ａ）
【００３８】
より更に好ましくは、条件式（１ａ）、（２ａ）の数値範囲を次の如く設定するのが良い。
１．７＜（Ｒｂ２ｏｂｊ＋Ｒｂ２ｉｍｇ）／（Ｒｂ２ｏｂｊ−Ｒｂ２ｉｍｇ）＜３０．０                                                    ・・・（１ｂ）
２．０＜ｆ２ｂｉｍｇ／ｆ２＜６．０                  ・・・（２ｂ）
【００３９】
各実施例において好ましくは次の条件式のうち１つ以上を満足するのが良い。接合レンズＧＲｂ２に含まれる負レンズの物体側のレンズ面の曲率半径をＲｂ２ｎ＿ｏｂｊ、像側のレンズ面の曲率半径をＲｂ２ｎ＿ｉｍｇとする。広角端から望遠端へのズーミングにおける第２レンズ群Ｌ２の移動量をＭ２、広角端から望遠端へのズーミングにおける第３レンズ群Ｌ３の移動量をＭ３とする。ここで移動量の符号は広角端から望遠端へのズーミングによって移動した結果、その位置が広角端に比べて望遠端において物体側に位置するときを正、像側に位置するときを負とする。
【００４０】
第２レンズ群Ｌ２の焦点距離をｆ２、第３レンズ群Ｌ３の焦点距離をｆ３とする。第２レンズ群Ｌ２は物体側から像側へ順に、正レンズ、正レンズと負レンズを接合した接合レンズＧＲａ２、負レンズと正レンズを接合した接合レンズＧＲｂ２より構成される。接合レンズＧＲａ２の負レンズは接合レンズＧＲａ２の正レンズの像側に配置されている。このとき接合レンズＧＲａ２に含まれる負レンズの物体側のレンズ面の曲率半径をＲａ２ｎ＿ｏｂｊ、像側のレンズ面の曲率半径をＲａ２ｎ＿ｉｍｇとする。第１レンズ群Ｌ１の最も物体側には、負レンズＧ１ｎが配置されており、負レンズＧ１ｎの物体側のレンズ面の曲率半径をＲＧ１ｏｂｊ、像側のレンズ面の曲率半径をＲＧ１ｉｍｇとする。
【００４１】
接合レンズＧＲｂ２に含まれる正レンズの物体側のレンズ面の曲率半径をＲｂ２ｐ＿ｏｂｊ、像側のレンズ面の曲率半径をＲｂ２ｐ＿ｉｍｇとする。接合レンズＧＲａ２の像側のレンズ面の曲率半径をＲａ２ｎ＿ｉｍｇ、接合レンズＧＲｂ２の物体側のレンズ面の曲率半径をＲｂ２ｎ＿ｏｂｊとする。このとき次の条件式のうち１つ以上を満足するのが良い。
【００４２】
−４．５＜（Ｒｂ２ｎ＿ｏｂｊ＋Ｒｂ２ｎ＿ｉｍｇ）／（Ｒｂ２ｎ＿ｏｂｊ−Ｒｂ２ｎ＿ｉｍｇ）＜０．２                                  ・・・（３）
−１８．０＜Ｍ２／Ｍ３＜−７．０                  ・・・（４）
０．３０＜ｆ２／ｆ３＜０．６５                    ・・・（５）
０．２＜（Ｒａ２ｎ＿ｏｂｊ＋Ｒａ２ｎ＿ｉｍｇ）／（Ｒａ２ｎ＿ｏｂｊ−Ｒａ２ｎ＿ｉｍｇ）＜１．２                                    ・・・（６）
０．４＜（ＲＧ１ｏｂｊ＋ＲＧ１ｉｍｇ）／（ＲＧ１ｏｂｊ−ＲＧ１ｉｍｇ）＜１．０
・・・（７）
０．０１＜（Ｒｂ２ｐ＿ｏｂｊ＋Ｒｂ２ｐ＿ｉｍｇ）／（Ｒｂ２ｐ＿ｏｂｊ−Ｒｂ２ｐ＿ｉｍｇ）＜２．５０                                ・・・（８）
−１．０＜（Ｒａ２ｎ＿ｉｍｇ＋Ｒｂ２ｎ＿ｏｂｊ）／（Ｒａ２ｎ＿ｉｍｇ−Ｒｂ２ｎ＿ｏｂｊ）＜−０．３                                ・・・（９）
【００４３】
次に前述の各条件式の技術的意味について説明する。条件式（３）は、第２レンズ群Ｌ２内の接合レンズＧＲ２ｂに含まれる負レンズのレンズ形状に関し、主にコマ収差を良好に補正するためのものである。条件式（３）の下限値を下回ると、負レンズのレンズ形状が物体側に強い屈折力の凹面を向けたメニスカス形状となるため、広角側においてコマ収差を補正するのは容易となるが、望遠側においてコマ収差を補正するのが困難となる。
【００４４】
一方、条件式（３）の上限値を上回ると、負レンズのレンズ形状が両凹形状に近づくため、接合レンズＧＲ２ｂとしての肉厚（中心厚）が厚くなりすぎてレンズ系全体を沈胴させたときのカメラ厚を短くするのが困難になる。
【００４５】
条件式（４）は、ズーミングに際しての第２レンズ群Ｌ２の移動量と第３レンズ群Ｌ３の移動量の比に関し、主にレンズ全長に関するものである。条件式（４）の下限値を下回り、第２レンズ群Ｌ２の移動量が大きくなると、高いズーム比を得るのは容易になるが、ズーミングに際して色収差と、コマ収差の変動が大きくなり、これらの諸収差の補正が困難となる。また、ズーミングに際してＦナンバーの変化が大きくなるため好ましくない。
【００４６】
一方、条件式（４）の上限値を上回り、第３レンズ群Ｌ３の移動量が大きくなると、望遠端において所定量のバックフォーカスを確保するのが必要となり、レンズ全長が増大し、全系の小型化が困難になる。また、ズーミング及びフォーカシングに際して像面湾曲の変動が大きくなるため好ましくない。
【００４７】
条件式（５）は、第２レンズ群Ｌ２の正の屈折力と第３レンズ群Ｌ３の正の屈折力の比に関し、主にズーミングに際しての光学性能の変化を軽減するためのものである。条件式（５）の下限値を下回り、第２レンズ群Ｌ２の正の屈折力が強まると、所定のズーム比を得るのは容易となるが、ズーミングに際して球面収差、軸上色収差、コマ収差等の諸収差の変動が増加し、これらの諸収差の補正が困難となる。
【００４８】
一方、条件式（５）の上限値を上回り、第３レンズ群Ｌ３の屈折力が強まると、フォーカシングに際して第３レンズ群Ｌ３の移動量が少なくなるため全系の小型化が容易となるが広角側において所定量バックフォーカスを確保することが困難となる。
【００４９】
条件式（６）は、第２レンズ群Ｌ２内の物体側に配置された接合レンズＧＲａ２に含まれる負レンズのレンズ形状に関し、主に軸上色収差、コマ収差等を良好に補正するためのものである。条件式（６）の下限値を下回ると、負レンズのメニス形状が弱まるため、コマ収差が増大してくる。一方、条件式（６）の上限値を上回ると、負レンズのレンズ形状がメニス形状に近づくため軸上色収差が増大し、これを補正するのが困難となる。
【００５０】
条件式（７）は、第１レンズ群Ｌ１に含まれる負レンズＧ１ｎのレンズ形状に関し、主に広角側において像面湾曲、歪曲収差等を良好に補正するためのものである。条件式（７）の下限値を下回ると、負レンズＧ１ｎのレンズ形状が両凹形状に近づくため、撮像画角を広げるのは容易となるが、広角側において歪曲収差が増大し、これを補正するのが困難となる。一方、条件式（７）の上限値を上回ると、負レンズＧ１ｎの形状がメニス形状に近づくため像面湾曲を補正するのは容易となるが、広画角化を図ることが困難となる。
【００５１】
条件式（８）は、第２レンズ群Ｌ２内の像側の接合レンズＧＲｂ２に含まれる正レンズのレンズ形状に関し、主に正レンズの寸法を小さくするためのものである。条件式（８）の下限値を下回ると、正レンズのレンズ形状が強い両凸形状になるため、接合レンズＧＲｂ２の光軸上の厚みが増しレンズ系全体を沈胴させたときのカメラ厚が厚くなるため好ましくない。一方、条件式（８）の上限値を上回ると、正レンズのレンズ形状がメニス形状に近づくため、正レンズの薄型化は容易となるが、望遠側においてコマ収差が増大し、これを補正するのが困難となる。
【００５２】
条件式（９）は、第２レンズ群Ｌ２に含まれる接合レンズＧＲａ２と接合レンズＧＲｂ２の２つの接合レンズより形成される空気レンズに関し、主にコマ収差を良好に補正するためのものである。条件式（９）の下限値を下回ると、空気レンズの形状がメニス形状に近づくため、広角側においてコマ収差を補正するのが困難となる。一方、条件式（９）の上限値を上回ると、空気レンズの両凸形状が強まるため望遠側においてコマ収差を補正するのが困難となる。また、第２レンズ群Ｌ２の光軸上の厚みが増えてしまい、レンズ系全体を沈胴した際のカメラ厚が増大してくるので良くない。
【００５３】
尚、各数値実施例において、収差補正上更に好ましくは、条件式（３）〜（７）の数値範囲を次の如く設定するのが良い。
【００５４】
−４．３＜（Ｒｂ２ｎ＿ｏｂｊ＋Ｒｂ２ｎ＿ｉｍｇ）／（Ｒｂ２ｎ＿ｏｂｊ−Ｒｂ２ｎ＿ｉｍｇ）＜０．１８                                  ・・・（３ａ）
−１７．０＜Ｍ２／Ｍ３＜−７．５                    ・・・（４ａ）
０．３５＜ｆ２／ｆ３＜０．６３                      ・・・（５ａ）
０．３＜（Ｒａ２ｎ＿ｏｂｊ＋Ｒａ２ｎ＿ｉｍｇ）／（Ｒａ２ｎ＿ｏｂｊ−Ｒａ２ｎ＿ｉｍｇ）＜１．１                                      ・・・（６ａ）
０．４５＜（ＲＧ１ｏｂｊ＋ＲＧ１ｉｍｇ）／（ＲＧ１ｏｂｊ−ＲＧ１ｉｍｇ）＜０．９５                                                  ・・・（７ａ）
０．０３＜（Ｒｂ２ｐ＿ｏｂｊ＋Ｒｂ２ｐ＿ｉｍｇ）／（Ｒｂ２ｐ＿ｏｂｊ−Ｒｂ２ｐ＿ｉｍｇ）＜２．４５                                  ・・・（８ａ）
−０．９８＜（Ｒａ２ｎ＿ｉｍｇ＋Ｒｂ２ｎ＿ｏｂｊ）／（Ｒａ２ｎ＿ｉｍｇ−Ｒｂ２ｎ＿ｏｂｊ）＜−０．３２                              ・・・（９ａ）
【００５５】
より更に好ましくは、条件式（３ａ）乃至（９ａ）の数値範囲を次の如く設定するのが良い。
【００５６】
−４．１＜（Ｒｂ２ｎ＿ｏｂｊ＋Ｒｂ２ｎ＿ｉｍｇ）／（Ｒｂ２ｎ＿ｏｂｊ−Ｒｂ２ｎ＿ｉｍｇ）＜０．１６                                  ・・・（３ｂ）
−１６．０＜Ｍ２／Ｍ３＜−８．０                    ・・・（４ｂ）
０．４０＜ｆ２／ｆ３＜０．６０                      ・・・（５ｂ）
０．４＜（Ｒａ２ｎ＿ｏｂｊ＋Ｒａ２ｎ＿ｉｍｇ）／（Ｒａ２ｎ＿ｏｂｊ−Ｒａ２ｎ＿ｉｍｇ）＜１．０                                      ・・・（６ｂ）
０．５＜（ＲＧ１ｏｂｊ＋ＲＧ１ｉｍｇ）／（ＲＧ１ｏｂｊ−ＲＧ１ｉｍｇ）＜０．９
・・・（７ｂ）
０．０５＜（Ｒｂ２ｐ＿ｏｂｊ＋Ｒｂ２ｐ＿ｉｍｇ）／（Ｒｂ２ｐ＿ｏｂｊ−Ｒｂ２ｐ＿ｉｍｇ）＜２．４０                                  ・・・（８ｂ）
−０．９５＜（Ｒａ２ｎ＿ｉｍｇ＋Ｒｂ２ｎ＿ｏｂｊ）／（Ｒａ２ｎ＿ｉｍｇ−Ｒｂ２ｎ＿ｏｂｊ）＜−０．３５                              ・・・（９ｂ）
【００５７】
各実施例では以上のように各レンズ群を構成することによって、簡素なレンズ構成でありながら広画角で大口径にも対応が容易で、高い光学性能を有するズームレンズを得ている。
【００５８】
次に各実施例におけるズームレンズの各レンズ群のレンズ構成について説明する。第１レンズ群Ｌ１は両凹形状の負レンズと物体側の面が凸でメニスカス形状の正レンズより構成している。各実施例のズームレンズでは全系を小型とするために第１レンズ群Ｌ１の負の屈折力を適切な範囲で強めている。このとき、第１レンズ群Ｌ１内で発生する諸収差、特に広角端において歪曲収差と像面湾曲が多く発生してくる。そこで各実施例では第１レンズ群Ｌ１より発生する歪曲収差を許容し、像面湾曲を補正するレンズ構成にしている。
【００５９】
第２レンズ群Ｌ２は両凸形状で非球面を含む正レンズ、物体側の面が凸形状の正レンズと像側の面が凹形状の負レンズとを接合した接合レンズＧＲａ２より構成している。更に物体側の面が凹形状の負レンズと像側の面が凸形状の正レンズとを接合した接合レンズＧＲｂ２より構成している。各実施例のズームレンズでは良好な光学性能を確保するために第２レンズ群Ｌ２の正の屈折力を適切な範囲で強めている。このとき、第２レンズ群Ｌ２より諸収差、特に球面収差、コマ収差、軸上色収差が多く発生してくる。
【００６０】
そこで各実施例では最も物体側に材料の屈折率が１．８を越える非球面を含む正レンズを配置する事で、球面収差の発生を低減している。また、第２レンズ群Ｌ２の正の屈折力を正レンズ、負の屈折力の接合レンズＧＲａ２に含まれる正レンズ、正の屈折力を接合レンズＧＲｂ２に含まれる正レンズの３つの正レンズで分担し、球面収差、コマ収差の発生を低減している。さらに接合レンズを２組用いる事で軸上色収差の発生を軽減している。
【００６１】
第３レンズ群Ｌ３は両凸形状の正レンズで構成している。各実施例のズームレンズでは、少ないレンズ枚数で第３レンズ群Ｌ３を構成する事で全系の薄型化、軽量化を図っている。特に正レンズを物体側を凸形状とする事で、望遠端において無限遠から至近へのフォーカシングに際して像面湾曲の変動を軽減している。
【００６２】
次に本発明のズームレンズを撮像光学系として用いた撮像装置（デジタルカメラ）の実施例を図１３を用いて説明する。図１３において、３０はカメラ本体、３１は実施例１乃至６で説明したいずれかのズームレンズによって構成された撮像光学系である。３２はカメラ本体に内蔵され、撮像光学系３１によって形成された被写体像を受光するＣＣＤセンサやＣＭＯＳセンサ等の固体撮像素子（光電変換素子）である。３３は固体撮像素子３２によって光電変換された被写体像に対応する情報を記録するメモリである。
【００６３】
このように本発明のズームレンズをデジタルスチルカメラやビデオカメラ等の撮像装置に適用することにより、小型で高い光学性能を有する撮像装置が実現できる。尚、各実施例のズームレンズは投射装置（プロジェクタ）用の投射光学系として用いることもできる。
【００６４】
次に、本発明の実施例１乃至６に対応する数値データ１乃至６を示す。各数値データにおいて、ｉは物体からの面の順番を示す。ｒｉはレンズ面の曲率半径、ｄｉは第ｉ面と第ｉ＋１面との間の面を示す。ｎｄｉ、νｄｉはそれぞれｄ線を基準とした第ｉ番目の光学部材の屈折率と、アッベ数である。ｒ５は設計上用いた仮想の面（ダミー面）である。実施例１、２、３、５において望遠端における間隔ｄ６の値が負となっているのは開口絞りＳＰ、第２レンズ群Ｌ２の順に数えたためである。非球面形状は光軸からの高さｈの位置での光軸方向の変位を面頂点を基準にしてｘとする。
【００６５】
このとき、
x＝（ｈ2／Ｒ）／[１+{１−(１+K)(ｈ/Ｒ)2}1/2]＋A4ｈ4＋A6ｈ6＋A8ｈ8＋A10ｈ10＋A12ｈ12
で表される。但し、Kは円錐定数、A4、A6、A8、A10、A12は4次、6次、8次、10次、12次の非球面係数、Ｒは近軸曲率半径である。又、「ｅ−Ｘ」は「×１０−X」を意味している。非球面は各表中の面番号の右側に＊印を付している。又、前述の各条件式と各実施例との関係を表１に示す。 
【００６６】
［実施例１］
単位 mm
面データ
面番号       r        d      nd         νd     
1*      -101.530    1.00   1.85135    40.1   
2*        11.563    2.59                     
3         17.158    1.68   2.00272    19.3   
4         34.327  (可変)                     
5          ∞       0.00                     
6(絞り)    ∞     (可変)                     
7*        11.513    2.45   1.88202    37.2    
8*      -158.863    0.20                       
9         12.241    2.10   1.88300    40.8    
10        -46.577    0.50   1.85478    24.8    
11          6.040    2.24                      
12        -17.396    0.50   1.80610    33.3    
13         15.807    2.21   1.85135    40.1    
14*       -13.421    0.37                      
15          ∞     (可変)                     （フレアーカット絞り）
16         44.289    3.17   1.59201    67.0   
17*       -33.829  (可変)                      
18          ∞       1.09   1.51633    64.1    
19          ∞       1.61                     
像面        ∞   
【００６７】
非球面データ
第1面
K = 0.00000e+000  A 4=-4.65961e-005  A 6= 8.04510e-007  A 8=-5.60379e-009  A10=-1.81010e-011  A12= 2.63709e-013  
第2面
K = 1.32245e-001  A 4=-9.53359e-005  A 6=-4.31947e-007  A 8= 2.83384e-008  A10=-6.45846e-010  A12= 3.74432e-012  
第7面
K = 0.00000e+000  A 4=-1.14474e-004  A 6=-6.39836e-007  A 8=-4.86347e-009  A10=-3.57225e-011  
第8面
K = 0.00000e+000  A 4=-5.86274e-006  A 6= 2.50952e-007  A 8=-3.51576e-009  
第14面
K = 0.00000e+000  A 4=-7.75182e-005  A 6= 1.40589e-007  A 8=-1.78341e-007  
第17面
K = 0.00000e+000  A 4= 2.07327e-005  A 6=-1.89462e-007  A 8= 8.61167e-010  
【００６８】
各種データ
ズーム比     2.88 
焦点距離      10.40    15.85    30.00   
Fナンバー      2.06     3.75     4.90    
半画角（度）  32.34    26.49    14.75    
レンズ全長    51.68    49.51    55.25     
BF             7.45     6.18     5.03     
d 4           17.46     6.72     1.44   
d 6            0.00     2.63    -0.18    
d15            7.77    14.97    29.95    
d17            5.12     3.85     2.70    
レンズ群データ
群  始面    焦点距離  
1    1     -21.26     
2    7      17.13       
3   16      32.89       
接合レンズGRb2の焦点距離
f2bimg   41.49
【００６９】
［実施例２］
単位 mm
面データ
面番号       r        d      nd         νd     
1*       -78.561    1.00   1.85135    40.1    
2*        12.165    2.80                      
3         18.776    1.70   1.92286    18.9    
4         42.161  (可変)                      
5          ∞       0.00                      
6(絞り)    ∞     (可変)                      
7*        11.768    2.44   1.88202    37.2    
8*      -121.336    0.20                      
9         11.842    2.25   1.88300    40.8    
10        -54.983    0.50   1.85478    24.8    
11          5.890    2.26                      
12        -16.098    0.50   1.80518    25.5    
13        -77.129    1.52   1.85135    40.1    
14*       -12.375    0.35                      
15          ∞     (可変)                     （フレアーカット絞り）
16         48.509    3.25   1.59201    67.0    
17*       -29.208  (可変)                      
18          ∞       1.09   1.51633    64.1    
19          ∞       1.66                      
像面        ∞   
【００７０】
非球面データ
第1面
K = 0.00000e+000  A 4=-6.00714e-005  A 6= 9.48455e-007  A 8=-5.40961e-009  A10=-3.59022e-011  A12= 3.96262e-013  
第2面
K = 2.11723e-001  A 4=-1.16286e-004  A 6=-2.86255e-007  A 8= 2.77229e-008  A10=-6.32914e-010  A12= 3.83216e-012  
第7面
K = 0.00000e+000  A 4=-1.27092e-004  A 6=-1.64931e-006  A 8= 5.16661e-009  A10= 4.11488e-010  
第8面
K = 0.00000e+000  A 4=-1.70868e-005  A 6=-1.18433e-006  A 8= 4.19252e-008  
第14面
K = 0.00000e+000  A 4=-1.06952e-004  A 6= 1.29357e-007  A 8=-2.96354e-007  
第17面
K = 0.00000e+000  A 4= 3.41929e-005  A 6=-2.95225e-007  A 8= 1.27830e-009  
【００７１】
各種データ
ズーム比     2.89 
広角     中間     望遠
焦点距離      10.38    15.05    30.00  
Fナンバー      2.06     3.75     4.90  
半画角（度）  32.40    27.69    14.76  
レンズ全長    50.49    48.87    55.36  
BF             7.58     6.46     5.21  
d 4           16.72     8.04     1.41  
d 6            0.00     1.79    -0.06  
d15            7.42    13.79    30.02  
d17            5.20     4.09     2.84  
ズームレンズ群データ
群  始面    焦点距離  
1    1     -20.83    
2    7      16.91     
3   16      31.28     
接合レンズGRb2の焦点距離
f2bimg   45.50
【００７２】
［実施例３］
単位 mm
面データ
面番号       r        d      nd         νd     
1*       -82.319    1.00   1.85135    40.1    
2*        12.313    2.85                      
3         18.373    1.67   1.92286    18.9    
4         38.592  (可変)                      
5          ∞       0.00                      
6(絞り)    ∞     (可変)                      
7*        12.294    2.44   1.88202    37.2    
8*      -100.470    0.20                      
9         11.723    2.39   1.88300    40.8    
10        -39.618    0.50   1.85478    24.8    
11          6.181    2.16                      
12        -14.313    0.50   1.80518    25.5    
13        -46.991    1.58   1.85135    40.1    
14*       -12.467    0.30                      
15          ∞     (可変)                     （フレアーカット絞り）
16         55.332    3.27   1.59201    67.0    
17*       -26.618  (可変)                      
18          ∞       1.09   1.51633    64.1    
19          ∞       1.65                      
像面        ∞   
【００７３】
非球面データ
第1面
K = 0.00000e+000  A 4=-6.53999e-005  A 6= 1.03279e-006  A 8=-5.71107e-009  A10=-3.78941e-011  A12= 4.00260e-013  
第2面
K = 2.66839e-001  A 4=-1.18503e-004  A 6=-1.74807e-007  A 8= 2.73020e-008  A10=-6.24797e-010  A12= 3.65406e-012  
第7面
K = 0.00000e+000  A 4=-1.12983e-004  A 6=-7.23586e-007  A 8= 7.23036e-009  A10=-2.33678e-010  
第8面
K = 0.00000e+000  A 4=-2.39360e-005  A 6= 4.74398e-007  A 8=-7.99165e-009  
第14面
K = 0.00000e+000  A 4=-5.22401e-005  A 6= 5.66201e-007  A 8=-1.72658e-007  
第17面
K = 0.00000e+000  A 4= 3.87089e-005  A 6=-3.15568e-007  A 8= 1.32290e-009  
【００７４】
各種データ
ズーム比     2.89 
広角     中間     望遠
焦点距離      10.39    15.11    30.00  
Fナンバー      2.06     3.75     5.00  
半画角（度）  32.37    27.61    14.75  
レンズ全長    50.42    48.64    55.22  
BF             7.58     6.66     5.49  
d 4           16.85     7.99     1.48  
d 6            0.00     1.83    -0.03  
d15            7.14    13.31    29.43  
d17            5.21     4.29     3.12  
レンズ群データ
群  始面    焦点距離 
1    1     -20.93   
2    7      16.81      
3   16      30.81      
接合レンズGRb2の焦点距離
f2bimg   64.78
【００７５】
［実施例４］
単位 mm
面データ
面番号       r        d      nd         νd    
1*       -92.344    1.00   1.85135    40.1   
2*        10.230    2.60                     
3         16.137    1.99   1.92286    18.9   
4         36.597  (可変)                     
5          ∞       0.00                     
6(絞り)    ∞     (可変)                     
7*        10.512    2.51   1.85135    40.1   
8*       232.874    0.20                     
9         13.099    2.40   1.88300    40.8   
10        -27.218    0.45   1.85478    24.8   
11          6.613    1.94                     
12        -20.672    0.45   1.64769    33.8   
13         27.508    1.74   1.88300    40.8   
14        -19.101    0.30                     
15          ∞     (可変)                     （フレアーカット絞り）
16         48.028    3.31   1.59201    67.0   
17*       -23.529  (可変)                     
18          ∞       1.09   1.51633    64.1   
19          ∞       1.65                     
像面        ∞   
【００７６】
非球面データ
第1面
K = 0.00000e+000  A 4=-3.96667e-005  A 6= 1.38945e-006  A 8=-2.21210e-008  A10= 1.59528e-010  A12=-4.14457e-013  
第2面
K =-2.48142e-001  A 4=-1.00299e-004  A 6= 1.04700e-006  A 8=-7.61672e-009  A10=-2.87648e-010  A12= 2.99918e-012  
第7面
K =-6.51433e-003  A 4=-7.75901e-005  A 6=-1.08599e-007  A 8= 7.39574e-009  
第8面
K = 0.00000e+000  A 4= 3.61303e-005  A 6= 6.79170e-007  
第17面
K = 0.00000e+000  A 4= 7.38289e-005  A 6=-4.57132e-007  A 8= 1.71550e-009  A10= 5.25214e-013  
【００７７】
各種データ
ズーム比     2.86 
広角     中間     望遠
焦点距離       9.05    12.80    25.91  
Fナンバー      2.06     3.85     5.00  
半画角（度）  36.06    31.68    16.96  
レンズ全長    49.34    47.56    54.21  
BF             7.27     6.78     5.55  
d 4           16.79     9.89     1.53  
d 6            0.00     0.48     0.79  
d15            6.39    11.52    27.45  
d17            4.90     4.41     3.18  
レンズ群データ
群  始面    焦点距離  
1    1     -18.67     
2    7      16.03     
3   16      27.14     
接合レンズGRb2の焦点距離
f2bimg   40.18
【００７８】
［実施例５］
単位 mm
面データ
面番号       r        d      nd         νd      
1*       -43.194    1.00   1.85135    40.1     
2*        12.779    2.17                       
3         18.922    1.80   2.00272    19.3     
4         47.661  (可変)                       
5          ∞       0.00                       
6(絞り)    ∞     (可変)                       
7*        11.288    2.21   1.83481    42.7     
8*      3755.039    0.20                       
9         10.533    2.65   1.88300    40.8     
10        -35.004    0.45   1.85478    24.8     
11          6.066    1.88                       
12        -43.023    0.45   1.64769    33.8     
13        -70.845    2.10   1.88300    40.8     
14        -28.678    0.27                       
15          ∞     (可変)                     （フレアーカット絞り）
16         95.172    3.23   1.59201    67.0     
17*       -20.729  (可変)                       
18          ∞       1.09   1.51633    64.1     
19          ∞       1.66                       
像面        ∞   
【００７９】
非球面データ
第1面
K = 0.00000e+000  A 4=-2.81207e-005  A 6= 1.41083e-006  A 8=-2.49004e-008  A10= 1.76226e-010  A12=-3.30667e-013  
第2面
K =-2.54449e-001  A 4=-6.03619e-005  A 6= 1.07517e-006  A 8=-4.98820e-009  A10=-3.58811e-010  A12= 4.04805e-012  
第7面
K =-1.45588e-001  A 4=-6.66498e-005  A 6=-2.86358e-007  A 8= 2.56849e-009  
第8面
K = 0.00000e+000  A 4= 5.93246e-006  A 6= 1.77846e-007  
第17面
K = 0.00000e+000  A 4= 5.14238e-005  A 6=-2.27005e-007  A 8=-1.71006e-009  A10= 2.27206e-011  
【００８０】
各種データ
ズーム比     3.37 
広角     中間     望遠
焦点距離      10.36    14.32    34.94  
Fナンバー      2.06     3.56     5.00  
半画角（度）  32.44    28.88    12.74  
レンズ全長    48.40    47.05    57.59  
BF             7.64     6.94     5.11  
d 4           16.50    10.58     1.32  
d 6            0.00     0.18    -0.03  
d15            5.86    10.95    32.78  
d17            5.26     4.56     2.73  
群  始面    焦点距離 レンズ群データ
1    1     -20.35     
2    7      16.01     
3   16      29.05      
接合レンズGRb2の焦点距離
f2bimg   75.99
【００８１】
［実施例６］
単位 mm
面データ
面番号       r        d      nd         νd      
1*      -149.616    1.00   1.85135    40.1     
2*         9.923    2.60                       
3         14.247    1.96   1.92286    18.9    
4         25.977  (可変)                       
5          ∞       0.00                       
6(絞り)    ∞     (可変)                       
7*        10.564    2.44   1.85135    40.1     
8*       130.563    0.20                       
9         12.238    2.61   1.88300    40.8     
10        -25.332    0.45   1.85478    24.8     
11          6.467    1.60                       
12       -123.980    0.45   1.71736    29.5     
13         91.056    1.16   1.88300    40.8     
14        -32.744    0.38                       
15          ∞     (可変)                     （フレアーカット絞り）
16         62.493    3.20   1.59201    67.0     
17*       -23.900  (可変)                       
18          ∞       1.09   1.51633    64.1     
19          ∞       1.65                       
像面        ∞   
【００８２】
非球面データ
第1面
K = 0.00000e+000  A 4=-3.15918e-005  A 6= 1.27248e-006  A 8=-2.08357e-008  A10= 1.54523e-010  A12=-3.96399e-013  
第2面
K =-2.39536e-001  A 4=-6.20719e-005  A 6= 7.46478e-007  A 8= 4.93964e-009  A10=-5.28344e-010  A12= 5.04254e-012  
第7面
K = 3.45193e-002  A 4=-7.64178e-005  A 6=-3.51226e-008  A 8= 8.98315e-009  
第8面
K = 0.00000e+000  A 4= 2.64384e-005  A 6= 1.00689e-006  
第17面
K = 0.00000e+000  A 4= 5.02392e-005  A 6=-4.41539e-007  A 8= 2.78134e-009  A10=-5.90323e-012  
【００８３】
各種データ
ズーム比     2.87 
広角     中間     望遠
焦点距離       9.32    12.60    26.74  
Fナンバー      2.06     2.50     5.00  
半画角（度）  35.24    32.09    16.46  
レンズ全長    48.63    47.48    55.22  
BF             7.68     7.13     6.42  
d 4           16.81    11.62     1.90  
d 6            0.00     0.00     1.33  
d15            6.09    10.67    27.51  
d17            5.32     4.77     4.06  
レンズ群データ
群  始面    焦点距離  
1    1     -17.91     
2    7      15.53     
3   16      29.61     
接合レンズGRb2の焦点距離
f2bimg   43.27
【００８４】
【表１】
0006555976.tif 000002
【符号の説明】
【００８５】
Ｌ１  第１レンズ群      Ｌ２  第２レンズ群      Ｌ３  第３レンズ群
【図１】
0006555976.tif 000003
【図２】
0006555976.tif 000004
【図３】
0006555976.tif 000005
【図４】
0006555976.tif 000006
【図５】
0006555976.tif 000007
【図６】
0006555976.tif 000008
【図７】
0006555976.tif 000009
【図８】
0006555976.tif 000010
【図９】
0006555976.tif 000011
【図１０】
0006555976.tif 000012
【図１１】
0006555976.tif 000013
【図１２】
0006555976.tif 000014
【図１３】
0006555976.tif 000015